(57)【特許請求の範囲】
【請求項１】
ラックに搭載されるラック搭載型電子機器であって、
筐体と、
前記筐体の第１の面に形成された第１開口と、
前記第１開口から突出する第１コネクタと、
前記筐体における前記第１の面と対向する第２の面に形成された第２開口と、
前記第２開口に配置された第２コネクタと、
前記第１開口を閉鎖可能な第１カバー部と、
前記第２開口を閉鎖可能な第２カバー部と、
前記第１カバー部により前記第１開口を開閉する第１開閉機構と、
前記第２カバー部により前記第２開口を開閉する第２開閉機構と
を備え、
前記第１開閉機構及び前記第２開閉機構が、
前記ラックへの当該電子機器の固定または解放に伴って移動される被移動部材と、
前記被移動部材の移動に連動して、前記第１カバー部及び前記第２カバー部を前記第１の面および前記第２の面に沿って摺動させることにより前記第１開口及び前記第２開口を開放または閉鎖させるリンク機構とを備え、当該電子機器の前記ラックに対する取り付け／取り外しに連動して、前記第１開口及び前記第２開口の開閉を行なう
ることを特徴とする、電子機器。
【請求項２】
ラックに搭載されるラック搭載型電子機器であって、
筐体と、
前記筐体の第１の面に形成された第１開口と、
前記第１開口から突出する第１コネクタと、
前記筐体における前記第１の面と対向する第２の面に形成された第２開口と、
前記第２開口に配置された第２コネクタと、
前記第１開口を閉鎖可能な第１カバー部と、
前記第２開口を閉鎖可能な第２カバー部と、
前記第１カバー部により前記第１開口を開閉する第１開閉機構と、
前記第２カバー部により前記第２開口を開閉する第２開閉機構と
を備え、
前記第１開閉機構及び前記第２開閉機構が、
当該電子機器の前記ラックに対する取り付け／取り外しに連動して、前記第１開口及び前記第２開口の開閉を行なうものであり、
前記第１カバー部及び前記第２カバー部に形成された第１の係合部と、
前記筐体に形成され、前記筐体内において前記第１の係合部と係合する第２の係合部とを備え、
前記第１開閉機構及び前記第２開閉機構が、前記ラックへの当該電子機器の取り付け時に、前記第１の係合部と前記第２の係合部とを係合させて前記第１カバー部および前記第２カバー部を移動させることで、前記第１開口及び前記第２開口を開状態にする
ことを特徴とする、電子機器。
【請求項３】
前記第１の面もしくは前記第２の面が、前記ラックに取り付けられる複数の前記電子機器の並び方向と直交する
ことを特徴とする、請求項１又は２に記載の電子機器。
【請求項４】
前記第１コネクタが、前記筐体内に配置される回路基板の第１の辺に配置されるとともに、前記第２コネクタが、前記回路基板における前記第１の辺と対向する第２の辺に配置される
ことを特徴とする、請求項１〜３のいずれか１項に記載の電子機器。
【発明の詳細な説明】
【技術分野】
【０００１】
本発明は、ラック搭載型の電子機器に関する。
【背景技術】
【０００２】
所定サイズのラック内に電子機器を設置するラックマウント型のシステムが知られている。
図４０（ａ），（ｂ）は従来のラックマウント型システムの外観を示す図であり、（ａ）はその表面を例示する図、（ｂ）はその裏面を例示する図である。
図４０（ａ），（ｂ）に例示するラックマウント型システム５００は、ラック５１０内に複数（図４０（ａ），（ｂ）に示す例では２つ）のストレージシステム５５０を備える。各ストレージシステム５５０は、複数のＤＥ（Drive Enclosure：ストレージ装置）５０１やＣＥ（Controller Enclosure：ストレージ制御装置）５０２等の電子機器を備える。これらのＤＥ５０１やＣＥ５０２は、それぞれラック５１０に脱着可能に備えられる。
【０００３】
ＤＥ５０１は、ＨＤＤ（Hard Disk Drive）等の記憶装置を搭載し、この記憶装置の記憶領域を、ストレージシステム５５０に対して提供する。
ＣＥ５０２は、ストレージシステム５５０の動作を制御する制御装置であり、コントローラ（ＣＭ：Controller Module）５０３（図４０（ｂ）参照）を備える。ＣＭ５０３は、図示しないホスト装置から送信されるＩ／Ｏコマンドに従って、ＤＥ５０１の記憶装置へのアクセス制御等、各種制御を行なう。
【０００４】
ラック５１０は、複数段の搭載エリア（図示省略）をそなえ、これらの搭載エリアに、ＤＥ５０１やＣＥ５０２を任意に搭載することができる。例えば、ラック５１０にＤＥ５０１を搭載することにより、ストレージシステム５５０の記憶容量を、増加させることができる。
図４０（ａ）に示す例においては、ラック５１０に１８個のＤＥ５０１と２個のＣＥ５０２とが挿入されている。
【０００５】
また、図４０（ｂ）に示すように、各ＤＥ５０１およびＣＥ５０２は、ラック５１０内において、上下方向において隣接する搭載エリアに搭載された他のＤＥ５０１もしくはＣＥ５０２とユニット間ケーブル５２１を介してそれぞれ接続されている。
具体的には、ＤＥ５０１やＣＥ５０２のそれぞれの背面には、ユニット間ケーブル５２１のコネクタ（図示省略）を挿入可能なコネクタ（開口）が形成されており、各コネクタにユニット間ケーブル５２１のコネクタを挿入することで、上下方向において隣接するＤＥ５０１−ＤＥ５０１間もしくはＤＥ５０１−ＣＥ５０２間を接続する。これにより、ラック５１０に搭載された複数のＤＥ５０１及びＣＥ５０２がカスケード接続される。
【０００６】
また、図４０（ｂ）に示すように、各ＤＥ５０１及びＣＥ５０２はそれぞれ電源ケーブルを介して図示しない電源装置に接続されている。また、各ＣＥ５０２は、通信ケーブルを介して図示しないホスト装置等とも接続されている。
【先行技術文献】
【特許文献】
【０００７】
【特許文献１】実公昭６２−１３５号公報
【特許文献２】実開平３−３０４８２号公報
【発明の概要】
【発明が解決しようとする課題】
【０００８】
このような従来のラックマウント型システムにおいては、上述の如く、ラック５１０内に搭載されたＤＥ５０１やＣＥ５０２がユニット間ケーブル５２１を用いて接続されている。従って、ラック５１０にＤＥ５０１やＣＥ５０２を搭載する際に、ユニット間ケーブル５２１による、ＤＥ５０１−ＤＥ５０１間もしくはＤＥ５０１−ＣＥ５０２間の接続作業を行なう必要があり煩雑であるという課題がある。特に、搭載される電子機器の数が多いと、ユニット間ケーブル５２１による接続作業の工数も増大する。また、ＤＥ５０１やＣＥ５０２の交換を行なう場合にも、ユニット間ケーブル５２１の挿抜を行なう必要があり煩雑である。
【０００９】
また、ラック５１０に搭載されているＤＥ５０１やＣＥ５０２に対して保守作業を行なう場合には、接続されているユニット間ケーブル５２１を避けながら作業を行なう必要があり、作業性が悪いという課題もある。
１つの側面では、本発明は、ラックに搭載する電子機器に対する作業性を向上できるようにすることを目的とする。
【課題を解決するための手段】
【００１０】
このため、この電子機器は、ラックに搭載されるラック搭載型電子機器であって、筐体と、前記筐体の第１の面に形成された第１開口と、前記第１開口から突出する第１コネクタと、前記筐体における前記第１の面と対向する第２の面に形成された第２開口と、前記第２開口に配置された第２コネクタと、前記第１開口を閉鎖可能な第１カバー部と、前記第２開口を閉鎖可能な第２カバー部と、前記第１カバー部により前記第１開口を開閉する第１開閉機構と、前記第２カバー部により前記第２開口を開閉する第２開閉機構とを備え、前記第１開閉機構及び前記第２開閉機構が、前記ラックへの当該電子機器の固定または解放に伴って移動される被移動部材と、前記被移動部材の移動に連動して、前記第１カバー部及び前記第２カバー部を前記第１の面および前記第２の面に沿って摺動させることにより前記第１開口及び前記第２開口を開放または閉鎖させるリンク機構とを備え、当該電子機器の前記ラックに対する取り付け／取り外しに連動して、前記第１開口及び前記第２開口の開閉を行なう。
【発明の効果】
【００１１】
一実施形態によれば、ラックに搭載する電子機器に対する作業性を向上させることができる。
【図面の簡単な説明】
【００１２】
【図１】実施形態の一例としての電子機器の構成を模式的に示す斜視図である。
【図２】実施形態の一例としての電子機器のラックへの取り付け方法を説明するための斜視図である。
【図３】実施形態の一例としての電子機器のＭＰの構成を模式的に示す図である。
【図４】実施形態の一例としての電子機器のラック搭載状態でのＭＰの接続状態を示す図である。
【図５】（ａ），（ｂ），（ｃ）は実施形態の一例としての電子機器における第１コネクタおよび第２コネクタの構成を説明するための側断面図である。
【図６】（ａ），（ｂ）は実施形態の一例としての電子機器における第１コネクタおよび第２コネクタの構成を説明するための斜視図である。
【図７】実施形態の一例としての電子機器における第１コネクタの接点金具と第２コネクタの接点金具との位置関係を例示する図である。
【図８】（ａ），（ｂ），（ｃ）は実施形態の一例としての電子機器におけるコネクタ接続方法を説明するための図である。
【図９】実施形態の一例としての電子機器のラック搭載状態でのＭＰの接続状態の他の例を示す図である。
【図１０】実施形態の一例としての電子機器における位置決め構造を例示する図である。
【図１１】実施形態の一例としての電子機器における他の位置決め構造を例示する図である。
【図１２】（ａ），（ｂ）は実施形態の一例としての電子機器における他の位置決め構造を例示する図である。
【図１３】（ａ），（ｂ）は実施形態の一例としての電子機器が搭載される搭載金具の位置決め構造を例示する図である。
【図１４】実施形態の一例としての電子機器が搭載される搭載金具の位置決め構造を例示する図である。
【図１５】（ａ），（ｂ），（ｃ）は実施形態の一例としての電子機器が搭載される搭載金具の位置決め構造を例示する図である。
【図１６】（ａ），（ｂ），（ｃ）は実施形態の一例としての電子機器が搭載される搭載金具の位置決め構造を例示する図である。
【図１７】実施形態の一例としての電子機器の外観を示す斜視図である。
【図１８】（ａ），（ｂ）は実施形態の一例としての電子機器のカバー構造における前板とアームとの位置関係を示す図である。
【図１９】（ａ），（ｂ）（ｃ）は実施形態の一例としての電子機器のカバー構造による開口の開閉動作を示す図である。
【図２０】実施形態の一例としての電子機器の外観を示す斜視図である。
【図２１】実施形態の一例としての電子機器のカバー構造における蓋の閉鎖機構の構成を示す斜視図である。
【図２２】実施形態の一例としての電子機器のカバー構造における蓋の閉鎖機構の構成を示す斜視図である。
【図２３】実施形態の一例としての電子機器のカバー構造における引っかけ部の構成を示す側面図である。
【図２４】実施形態の一例としての電子機器の筐体における引っかけ部の位置を示す図である。
【図２５】（ａ），（ｂ），（ｃ）は実施形態の一例としての電子機器のカバー構造による開口の開閉動作を示す図である。
【図２６】実施形態の一例としての電子機器の外観を示す斜視図である。
【図２７】実施形態の一例としての電子機器のカバー構造における蓋の閉鎖機構の構成を示す斜視図である。
【図２８】実施形態の一例としての電子機器のカバー構造における蓋の閉鎖機構の構成を示す斜視図である。
【図２９】実施形態の一例としての電子機器の筐体における引っかけ部の位置を示す図である。
【図３０】実施形態の一例としての電子機器のカバー構造による蓋の開閉動作を説明するための図である。
【図３１】実施形態の一例としての電子機器のカバー構造による蓋の開閉動作を示す図である。
【図３２】実施形態の一例としての電子機器のカバー構造による蓋の開閉動作を説明するための図である。
【図３３】実施形態の一例としての電子機器のカバー構造による蓋の開閉動作を説明するための図である。
【図３４】実施形態の一例としての電子機器のカバー構造による蓋の開閉動作を説明するための図である。
【図３５】実施形態の一例としての電子機器のカバー構造による蓋の開閉動作を説明するための図である。
【図３６】実施形態の一例としての電子機器のカバー構造による蓋の開閉動作を説明するための図である。
【図３７】実施形態の一例としての電子機器のカバー構造による蓋の開閉動作を説明するための図である。
【図３８】実施形態の一例としての電子機器のカバー構造による蓋の開閉動作を説明するための図である。
【図３９】実施形態の一例としての電子機器のカバー構造による蓋の開閉動作を説明するための図である。
【図４０】（ａ），（ｂ）は従来のラックマウント型システムの外観を示す図である。
【発明を実施するための形態】
【００１３】
以下、図面を参照して本電子機器に係る実施の形態を説明する。ただし、以下に示す実施形態はあくまでも例示に過ぎず、実施形態で明示しない種々の変形例や技術の適用を排除する意図はない。すなわち、本実施形態を、その趣旨を逸脱しない範囲で種々変形（実施形態及び各変形例を組み合わせる等）して実施することができる。又、各図は、図中に示す構成要素のみを備えるという趣旨ではなく、他の機能等を含むことができる。
【００１４】
（Ａ）コネクタ接続
図１は実施形態の一例としての電子機器１の構成を模式的に示す斜視図である。
この図１においては、２つの電子機器１−１，１−２が上下方向に並べて配置されている。なお、以下、電子機器を示す符号としては、複数の電子機器のうち１つを特定する必要があるときには符号１−１，１−２を用いるが、任意の電子機器を指すときには符号１を用いる。
【００１５】
電子機器１は、ラック２００（図２において、その支柱２０１等の一部のみを図示）に搭載されて使用されるラックマウント型（ラック搭載型）の電子機器である。ラック２００においては、電子機器１が搭載される搭載エリア２１０が、例えば鉛直方向に並べて複数形成されており、各搭載エリア２１０に電子機器１を搭載することで、任意の数の電子機器１がラック２００に搭載される。以下、ラック２００における電子機器１の搭載エリア２１０をスロット２１０という場合がある。
【００１６】
また、ラック２００内に複数の電子機器１を搭載する際には、これらの複数の電子機器１が上下方向に隣り合うように搭載され、電子機器１が搭載されない空きスペースとなるスロット２１０が、電子機器１間に位置することが無いようにする。
なお、図１に示す例においては、便宜上、電子機器１−１と電子機器１−２とを離して配置して示している。
【００１７】
図２はラック２００への電子機器１の取り付け方法を説明するための斜視図である。ラック２００は立設された４本の支柱２０１を備え、これらのうち当該ラック２００の前後方向に沿って配置された２本の支柱２０１どうしが、長矩形状の搭載金具２０２を用いて連結されている。
ラック２００における前後方向は、ラック２００のスロット２１０への電子機器１の挿抜方向に相当するものであり、スロット２１０における電子機器１が挿入される側を前方とする。また、この前後方向と直交する水平面上の方向を左右方向という場合がある。
【００１８】
搭載金具２０２の前方の端部及び後方の端部は、それぞれ左右方向にＬ字型に折り曲げられ、この折り曲げられた部分には１つ以上の固定穴２０２３が形成されている。図２に示す例では、後方の端部には、上下方向に並んで２つの固定穴２０２３が形成されており、前方の端部には１つの固定穴２０２３が形成されている。
また、搭載金具２０２の前方の端部には、固定穴２０２３と上下方向に並んで１つ以上の固定穴２０２２が形成されている。図２に示す例では、固定穴２０２３を挟んで２つの固定穴２０２２が形成されている。
【００１９】
支柱２０１に鉛直方向に沿って形成された複数の穴のいずれかを貫通するようにネジ２１１が挿入され、固定穴２０２３に螺合することで、支柱２０１と搭載金具２０２とが固定される。
そして、ラック２００において、水平方向（左右方向）に並んで平行に配置された一対の搭載金具２０２の間の空間が電子機器１を挿入するスロット２１０として機能する。搭載金具２０２は、スロット２１０の側壁を成す。
【００２０】
また、搭載金具２０２の下端は、スロット２１０内に向けて水平となるようにＬ字に折り曲げられ、これにより、スロット２１０内に挿入された電子機器１を支持する支持部２０２１として機能する。
搭載金具２０２における支持部２０２１が突出する側の面が、スロット２１０の内壁面をなす。以下、搭載金具２０２における支持部２０２１が突出する側の面、すなわちスロット２１０の内壁面となる面を内壁面２０２ａという場合がある。
【００２１】
電子機器１は、箱状の筐体１０を備えるとともに、この筐体１０内に矩形のＭＰ（MidPlane）２０を備える。
筐体１０の前側には、筐体１０をラック２００の支柱２０１に固定するためのラック固定部１３が形成されている。
ラック固定部１３は、筐体１０の前面において、この前面に沿って左右方向に突出する板状部材である。このラック固定部１３は、電子機器１をラック２００のスロット２１０内に挿入する際に、ラック２００の支柱２０１に当接する。これにより、ラック２００における電子機器１の位置決めが行なわれる。
【００２２】
また、ラック固定部１３には縦方向に沿って取り付け穴１３１が形成されている。電子機器１をラック２００のスロット２１０内に挿入し、ラック固定部１３がラック２００の支柱２０１に当接した状態で、この取り付け穴１３１と支柱２０１に形成された穴とを貫通するようにネジ２１２を挿入して、搭載金具２０２の固定穴２０２２に螺合する。これにより、電子機器１は支柱２０１に固定される。
【００２３】
ＭＰ２０は、回路基板ユニットであり、筐体１０内の中ほどにおいて、筐体１０内の空間を前後に区画するように立設されている。
図３は実施形態の一例としての電子機器１のＭＰ２０の構成を模式的に示す図であり、筐体１０の前方から見た状態を示す。
ＭＰ２０の長手方向の上辺には１つ以上（図３に示す例では２つ）の第１コネクタ３０が配置されている。また、ＭＰ２０の長手方向の下辺には、上記第１コネクタ３０と同数（図３に示す例では２つ）の第２コネクタ４０が、第１コネクタ３０と対向する各位置に配置されている。
【００２４】
また、図１に示すように、筐体１０の上面（天板１１２：第１の面）において、ＭＰ２０に対向する位置には開口（第１開口）１１が形成されており、この開口１１を介して第１コネクタ３０が露出する。同様に、筐体１０の下面（底板１１３：第２の面）において、ＭＰ２０に対向する位置には開口（第２開口）１２が形成されており、この開口１２を介して第２コネクタ４０が露出する。
【００２５】
第１コネクタ３０は、ラック２００のスロット２１０に電子機器１が挿入された状態で、ラック２００における、当該スロット２１０の上方のスロット２１０に挿入された隣接する他の電子機器１の第２コネクタ４０と接触する。これにより、一方の電子機器１（例えば、電子機器１−１）の第１コネクタ３０とその上方に位置する他の電子機器１（例えば、電子機器１−２）の第２コネクタ４０とが電気的に接続される。
【００２６】
以下、スロット２１０内に電子機器１を挿入することで、一方の電子機器１の第１コネクタ３０と他の電子機器１の第２コネクタ４０とが電気的に接続することを、コネクタ接続されるという場合がある。
なお、各電子機器１において、ＭＰ２０は筐体１０における同じ位置に取り付けられ、また、開口１１，１２も、各電子機器１で筐体１０の同一位置に形成されている。
【００２７】
図４は実施形態の一例としての電子機器１のラック搭載状態でのＭＰ２０の接続状態を示す図である。この図４に示す例においては、ラック２００にｎ個（ｎは２以上の自然数）の電子機器１が搭載された状態を示しており、例えば、電子機器１−１の第１コネクタ３０が、その上方に位置する電子機器１−２の第２コネクタ４０に当接している。
なお、この図４中においては、各電子機器１のＭＰ２０が第１コネクタ３０および第２コネクタ４０を介して電気的に接続されている状態を実線Ｌ１，Ｌ２によりイメージとして表している。この図４に示す例においては、図中右側に示す実線Ｌ１で表される第１の電気接続系と、図中左側に示す実線Ｌ２で表される第２の電気接続系とで冗長化されている。
【００２８】
また、この図４中において、電子機器１−１の下、すなわち最下端に電子機器１ａが配置されている。この電子機器１ａは、例えばＣＥであり、図示しないＣＭを備える。一般に、ストレージ装置においては、ＣＥはラック２００内の上端位置や下端位置に取り付けられる。
また、この電子機器１ａは、電子機器１のＭＰ２０に代えてＭＰ２０ａを備える。
【００２９】
このＭＰ２０ａは、ＭＰ２０から第２コネクタ４０を除去した他は、電子機器１と同様の構成を有するものであり、その詳細な説明は省略する。
図５（ａ），（ｂ），（ｃ）は実施形態の一例としての電子機器１における第１コネクタ３０および第２コネクタ４０の構成を説明するための側断面図である。図５（ａ）はＭＰ２０の側面図、図５（ｂ）は第１コネクタ３０の側断面図、図５（ｃ）は第２コネクタ４０の側断面図である。
【００３０】
また、図６（ａ），（ｂ）は実施形態の一例としての電子機器１における第１コネクタ３０および第２コネクタ４０の構成を説明するための斜視図であり、（ａ）は第１コネクタ３０を、（ｂ）は第２コネクタ４０をそれぞれ示す。
第１コネクタ３０は、図６（ａ）に示すように、接点金具３１とケース３２とを備える。ケース３２はＭＰ２０の上端位置に固定され、このケース３２の上面から、板状の接点金具３１が、その一部を円弧状に湾曲された状態で突出している。
【００３１】
なお、この図６（ａ）に示す例においては、接点金具３１の形状が見えるように、ケース３２の一部を切り欠いて示している。また、この図６（ａ）においては、３つの接点金具３１を図示しているが、これに限定されるものではなく、第１コネクタ３０には２つ以下もしくは４つ以上の接点金具３１を備えてもよく、種々変形して実施することができる。
【００３２】
図５（ｂ）に示すように、この第１コネクタ３０の接点金具３１が、筐体１０に形成された開口１１を介して突出する。
第２コネクタ４０は、図６（ｂ）に示すように、接点金具４１とケース４２とを備える。ケース４２はＭＰ２０の下端位置に固定され、このケース４２の下面から、板状の接点金具４１が、その一部を凸に湾曲された状態で突出している。
【００３３】
図５（ｃ）に示すように、この第２コネクタ４０の接点金具４１が、筐体１０に形成された開口１２を介して突出する。なお、この図５（ｃ）に示す例においては、開口１２を介して突出した接点金具４１が、筐体１０と面一となっている。
なお、図６（ｂ）に示す例においては、接点金具４１の形状が見えるように、ケース４２の一部を切り欠いて示している。また、図６（ｂ）においては、３つの接点金具４１を図示しているが、これに限定されるものではなく、第２コネクタ４０には２つ以下もしくは４つ以上の接点金具４１を備えてもよく、種々変形して実施することができる。
【００３４】
図７は実施形態の一例としての電子機器１における第１コネクタ３０の接点金具３１と第２コネクタ４０の接点金具４１との位置関係を例示する図である。
この図７に示す例においては、電子機器１−２の第２コネクタ４０と電子機器１−１の第１コネクタ３０とがコネクタ接続されている状態を示す。この図７に示すように、第１コネクタ３０の接点金具３１と第２コネクタ４０の接点金具４１とは、コネクタ接続された状態において１対１で接続されるように、互いに対応する位置に備えられている。
【００３５】
図７に示す例においては、接点金具４１の幅寸法は８ｍｍであり、また、隣接する接点金具４１間の距離は２ｍｍである。一方、接点金具３１の幅寸法は２ｍｍであり、また、隣接する接点金具３１間の距離は８ｍｍである。これにより、図中に破線で示すように、接点金具４１に対して接点金具３１が図中の左右方向に４ｍｍ程度ずれた場合でも、コネクタ接続を実現することができる。例えば、一般のラックマウント型のストレージ装置において、装置の幅は±２ｍｍ程度の精度で作成されているので、このように構成することでコネクタ接続は確実に行なわれ、製品性能を保つことができる。
【００３６】
すなわち、接点金具３１を接点金具４１に対して小さく、また、接点金具３１間の距離を大きくすることで、電子機器の装置サイズや搭載位置の誤差を吸収することができる。
上述の如く構成された実施形態の一例としての電子機器１におけるコネクタ接続方法を、図８（ａ），（ｂ），（ｃ）を用いて説明する。なお、これらの図８（ａ），（ｂ），（ｃ）に示す例においては、ラック２００に電子機器１−２が搭載された状態で、その上のスロット２１０に電子機器１−１が挿入される場合について示す。
【００３７】
電子機器１−１が挿入される前の状態においては、図８（ａ）に示すように、電子機器１−２の筐体１０の上面（天板１１２）においては、開口１１から第１コネクタ３０の接点金具３１が突出している。
図８（ｂ）に示すように、電子機器１−１をスロット２１０内に挿入すると、この電子機器１−１の筐体１０の底面（底板１１３）が電子機器１−２の接点金具３１に当接し、接点金具３１は電子機器１−２の筐体１０内に押し込まれる。
【００３８】
さらに、電子機器１−１をスロット２１０内に挿入すると、図８（ｃ）に示すように、電子機器１−２の第１コネクタ３０の接点金具３１が、電子機器１−１の開口１２および、電子機器１−２の開口１１を介して突出し、電子機器１−１の第２コネクタ４０の接点金具４１と当接する。これにより、電子機器１−１と電子機器１−２との間でコネクタ接続が実現する。
【００３９】
挿入の途中段階で接点金具３１と接点金具４１が電子機器１−１と電子機器１−２の筐体１０に接触することで、第１コネクタ３０および第２コネクタ４０内の接点金具間がショートして不具合が発生するおそれがある。このような場合には、電子機器１−１と電子機器１−２の筐体１０の表面に絶縁シートを貼り付ける、または絶縁処理を施すことで不具合を防ぐことができる。
【００４０】
図９は実施形態の一例としての電子機器１のラック２００搭載状態でのＭＰ２０の接続状態の他の例を示す図である。
図４に例示した接続状態においては、実線Ｌ１およびＬ２で示す２つの電気接続系（パス）により冗長化されている。しかしながら、いずれかの電子機器１に不具合が生じて電子機器１内の接続が切れたり、交換のために電子機器１をラック２００から取り外すと、それ以降の部分は、電子機器１ａとの接続が切断されることとなる。
【００４１】
そこで、図９に示す例においては、一方の電気接続系（本例では実線Ｌ１の電気接続系）において、最上端に位置する電子機器１−ｎと最下端に位置する電子機器１ａとをケーブルＬ３を用いて接続する、いわゆるリバース接続（リバースケーブリング）を行なっている。なお、このリバース接続を実現するため、各電子機器１，１ａのＭＰ２０，２０ａには、ケーブルＬ３を接続するためのコネクタが備えられている。
【００４２】
これにより、パス上の電子機器１で故障が発生しても、ケーブルＬ３を介して正常なパスから継続アクセスが可能なため、影響箇所を最小限に抑えることができ、信頼性を向上させることができる。このような接続形態においても実線Ｌ１の電子機器１−２から電子機器１−ｎまでの接続と、実線Ｌ２の電子機器１ａから電子機器１−ｎまでの接続には第１コネクタ３０と第２コネクタ４０によるコネクタ接続が使用できる。
【００４３】
（Ｂ）位置決め構造
本電子機器１においては、ラック２００内において他の電子機器１とのコネクタ接続を確実に行なうための、筐体１０間の位置決め構造を有することが望ましい。筐体１０間の位置決め構造を有することにより図７に示す各寸法を位置決め構造の精度に合わせて小さくすることができ、コネクタの小型化や接続信号数を増やすことが可能となる。そこで、本電子機器１においては、筐体１０間の位置決めを行なう位置決め構造を備える。
【００４４】
以下、（Ｂ−１）〜（Ｂ−３）に位置決め構造を例示する。本電子機器１はこれらの（Ｂ−１）〜（Ｂ−３）に示す位置決め構造のうち、少なくともいずれか１つを備える。
（Ｂ−１）位置決め構造例１
図１０は実施形態の一例としての電子機器１における位置決め構造を例示する図である。この図１０に示す例においては、筐体１０の下面（底板１１３）における左右方向の両端付近において、ラック２００への電子機器１の挿抜方向、すなわち前後方向に沿ってレール状の位置決め凸部１４１を備える。また、筐体１０の上面（天板１１２）には、ラック２００への電子機器１の挿抜方向、すなわち前後方向に沿ってガイド溝１４２が形成されている。
【００４５】
このガイド溝１４２には、位置決め凸部１４１が嵌合可能に構成されており、ラック２００に電子機器１を搭載する際に、一つ上のスロット２１０に挿入される電子機器１の位置決め凸部１４１が、その下のスロット２１０の電子機器１のガイド溝１４２に嵌合し、案内される。
これにより、ラック２００内において上下に位置する電子機器１間での左右方向における位置決めが行なわれ、コネクタ接続を確実に行なうことができる。
【００４６】
なお、電子機器１の筐体１０に備える位置決め凸部１４１およびガイド溝１４２の数は、図１０に例示した２つに限定されるものではない。すなわち、１つ又は３つ以上の位置決め凸部１４１およびガイド溝１４２を筐体１０に形成してもよい。また、天板１１２に位置決め凸部１４１を形成し、底板１１３にガイド溝１４２を形成する等、種々変形して実施することができる。
【００４７】
（Ｂ−２）位置決め構造例２
図１１及び図１２（ａ），（ｂ）は実施形態の一例としての電子機器１における他の位置決め構造を例示する図である。図１１は位置決め凸金具１５１及び位置決め凹金具１５２を備えるＭＰ２０を例示する図である。また、図１２（ａ）は位置決め凹金具１５２を例示する斜視図、図１２（ｂ）は位置決め凸金具１５１を例示する斜視図である。
【００４８】
図１１に示すＭＰ２０は、その長手方向の上辺に１つ以上（図１１に示す例では１つ）の位置決め凹金具１５２を備えるとともに、その長手方向の下辺に１つ以上（図１１に示す例では１つ）の位置決め凸金具１５１を備える。
なお、図１１に示す例においては、ＭＰ２０の長手方向の上辺の中央位置に位置決め凹金具１５２を備え、ＭＰ２０の長手方向の下辺の中央位置であって、位置決め凹金具１５２と対向する位置に位置決め凸金具１５１が備えられている。
【００４９】
位置決め凸金具１５１は、図１２（ｂ）に示すように、位置決め凸部１５１１をそなえる。この位置決め凸部１５１１は、当該位置決め凸金具１５１が取り付けられたＭＰ２０が筐体１０内に配置された状態で、筐体１０の下面に形成された開口１２から突出する。
この位置決め凸部１５１１は、直方体状の形状を有し、筐体１０の下面の中央付近において、ラック２００への電子機器１の挿抜方向、すなわち前後方向に沿って延在する。
【００５０】
また、この位置決め凸部１５１１の前後方向の各角には面取りを行なうことにより傾斜部１５１２が形成されている。この傾斜部１５１２は、後述する位置決め凹金具１５２の案内面１５２２と当接して、位置決め凸部１５１１が位置決め凹金具１５２のガイド溝１５２１に案内されるよう作用する。
位置決め凹金具１５２には、図１２（ａ）に示すように、ラック２００への電子機器１の挿抜方向、すなわち前後方向に沿ってガイド溝１５２１が形成されている。
【００５１】
このガイド溝１５２１には、位置決め凸金具１５１の位置決め凸部１５１１が嵌合可能に構成されており、ラック２００に電子機器１を搭載する際に、一つ上のスロット２１０に挿入される電子機器１の位置決め凸金具１５１の位置決め凸部１５１１が、その下のスロット２１０の電子機器１の位置決め凹金具１５２のガイド溝１５２１に嵌合し、案内される。これにより、ラック２００内において上下に位置する電子機器１間での位置決めが行なわれ、コネクタ接続を確実に行なうことができる。
【００５２】
また、ガイド溝１５２１の前後方向の各端部には、端部に向かう程ガイド溝１５２１の幅を広げるように案内面１５２２が形成されている。この案内面１５２２は、前述した位置決め凸金具１５１の傾斜部１５１２と当接して、位置決め凸部１５１１が位置決め凹金具１５２のガイド溝１５２１に案内されるよう作用する。
（Ｂ−３）位置決め構造例３
位置決め構造例３においては、搭載金具２０２間の位置決め構造と、これらの位置決めが行なわれた搭載金具２０２に対する電子機器１の位置決め構造とを有する。
【００５３】
図１３（ａ），（ｂ）〜図１６（ａ），（ｂ），（ｃ）は実施形態の一例としての電子機器１が搭載される搭載金具２０２の位置決め構造を例示する図である。図１３（ａ）は搭載金具２０２の上方を示す斜視図、図１３（ｂ）は搭載金具２０２の下方を示す斜視図、図１４は搭載金具２０２間の係合構造を説明する側断面図である。
また、図１５（ａ）は搭載金具２０２におけるフック２０４１の位置を示す斜視図、図１５（ｂ）はフック２０４１を示す図、図１５（ｃ）は電子機器１の筐体１０のフック係合穴１６１を示す斜視図である。図１６（ａ），（ｂ），（ｃ）は搭載金具２０２のフック２０４１と筐体１０のフック係合穴１６１との係合過程を示す図である。
【００５４】
図１３（ａ）に示すように、本例の搭載金具２０２の長手方向の上辺には、１つ以上（図１３（ａ）に示す例では３つ）の係合穴２０３１が形成されている。また、図１３（ｂ）に示すように、この搭載金具２０２の長手方向の下辺には１つ以上（図１３（ｂ）に示す例では３つ）の係合突起２０３２を備える。搭載金具２０２において、長手方向の上辺に形成された各係合穴２０３１と、長手方向の下辺に形成された各係合突起２０３２とは、対応する位置に形成されている。
【００５５】
各係合穴２０３１には、係合突起２０３２が係合可能に構成されており、ラック２００に取り付ける際に、図１４に示すように、一つ上のスロット２１０の側壁となる搭載金具２０２の係合突起２０３２が、その下方のスロット２１０の側壁をとなる搭載金具２０２の係合穴２０３１に係合する。これにより、ラック２００の上下方向に隣接する搭載金具２０２間の位置決めが行なわれる。
【００５６】
なお、本例においては、搭載金具２０２の上辺に係合穴２０３１を形成し、その下辺に係合突起２０３２を形成しているが、これに限定されるものではなく、種々変形することができる。すなわち、搭載金具２０２の下辺に係合穴２０３１を形成し、その上辺に係合突起２０３２を形成してもよく、搭載金具２０２の上辺や下辺に係合穴２０３１と係合突起２０３２とを混在させてもよい。また、２つ以下のもしくは４つ以上の係合穴２０３１及び係合突起２０３２を備えてもよい。
【００５７】
また、図１５（ａ）に示すように、搭載金具２０２の内壁面２０２ａにはフック２０４１が突出するように形成されている。なお、図１３（ａ），（ｂ）および図１４においては、フック２０４１の図示を省略している。
フック２０４１は矩形の板状部材であり、図１５（ａ）に示すように、搭載金具２０２の長手方向に沿って配置され、その後方端部が搭載金具２０２に固定されている。また、図１５（ｂ）に示すように、その前方端部は搭載金具２０２の内壁面２０２ａから離隔している。さらに、フック２０４１は金属板等の弾性部材により構成されている。
【００５８】
また、図１５（ｃ）に示すように、電子機器１の筐体１０の側面における、ラック２００のスロット２１０内に搭載された状態でフック２０４１と対向する位置にフック係合穴１６１が形成されている。
そして、フック２０４１は、電子機器１がラック２００のスロット２１０内に挿入されると、この電子機器１の筐体１０の側面に形成されたフック係合穴１６１と係合する。
【００５９】
図１６（ａ）〜（ｃ）に示す例においては、図中の下側が電子機器１の前方に、また、図中の上側が電子機器１の後方にそれぞれ相当する。すなわち、電子機器１をスロット２１０に挿入すると、例えば、図１６（ａ）において矢印Ａ１で示すように、筐体１０が移動する。
スロット２１０に電子機器１の筐体１０を挿入している途中においては、図１６（ａ）に示すように、フック２０４１は筐体１０の外面に当接している。この状態においては、フック２０４１は筐体１０の外面により付勢され、弾性変形により搭載金具２０２の内壁面２０２ａよりも外（スロット２１０の外）へ押し出されている。
【００６０】
この状態から更に筐体１０をスロット２１０に挿入すると、筐体１０のフック係合穴１６１がフック２０４１と対向する位置に至る。この状態においては、フック２０４１は、筐体１０の外面からの付勢が解除され、図１６（ｂ）に示すように、フック係合穴１６１を介して筐体１０内に突入する。
この状態から更に筐体１０をスロット２１０に挿入すると、図１６（ｃ）に示すように、搭載金具２０２におけるフック２０４１と内壁面２０２ａとの間に筐体１０が侵入して係合する。これにより、スロット２１０内において電子機器１は必ず左側の搭載金具２０２に対して位置決めが行なわれる。上下方向に隣接する搭載金具２０２間は前述のように位置決めが行なわれているので、上下方向に隣接する電子機器１間の位置決めができる。
【００６１】
なお、上述した実施形態においては、搭載金具２０２にフック２０４１を備え、筐体１０にフック結合穴１６１を形成しているが、これに限定されるものではない。すなわち、筐体１０側にフック２０４１を備え、搭載金具２０２側にフック結合穴１６１を形成してもよい。また、フック２０４１及び結合穴１６１の数や位置についても種々変形して実施することができる。
【００６２】
（Ｃ）開口の開閉構造
上述の如く、実施形態の一例としての電子機器１の筐体１０には開口１１，１２が形成されており、これらの開口１１，１２を介してコネクタ接続が行なわれる。
これらの開口１１，１２内に備えられる第１コネクタ３０や第２コネクタ４０を保護するために、本電子機器１がラック２００内に搭載されていない状態（非搭載状態）においては、開口１１，１２をそれぞれ閉鎖することが望ましい。そこで、本電子機器１においては、開口１１，１２を閉蓋し、必要に応じてこれらの開口１１，１２を露出させるカバー構造を備える。
【００６３】
以下、（Ｃ−１），（Ｃ−２），（Ｃ−３）にカバー構造を例示する。本電子機器１はこれらの（Ｃ−１）〜（Ｃ−３）に示すカバー構造のうち、少なくともいずれか１つを備える。
（Ｃ−１）カバー構造例１
図１７は実施形態の一例としての電子機器１の外観を示す斜視図であり、この電子機器１はカバー構造３００を備える。なお、この図１７においては、カバー構造３００の一部の構成の図示を省略している。図１８（ａ），（ｂ）はカバー構造３００における前板３０２とアーム３０３，３０３′との位置関係を示す図であり、（ａ）は斜視図、（ｂ）は正面図である。
【００６４】
また、図１９（ａ），（ｂ），（ｃ）は実施形態の一例としての電子機器１のカバー構造３００による開口１１の開閉動作を示す図であり、（ａ）は閉状態を、（ｂ）は開動作の途中の状態を、（ｃ）は開状態をそれぞれ示す。
カバー構造３００は、電子機器１をラック２００のスロット２１０に挿入した状態で、ラック２００に電子機器１を固定する固定動作と、ラック２００に固定された電子機器１を解放する解放動作とに連動して、開口１１，１２に備えた蓋３０１，３０１′を開閉する。
【００６５】
すなわち、カバー構造３００は、蓋３０１により開口１１を開閉する第１開閉機構として機能するとともに、蓋３０１′により開口１２を開閉する第２開閉機構としても機能する。
なお、開口１１には蓋（第１カバー部）３０１が備えられ、開口１２には蓋（第２カバー部）３０１′が備えられているが、これらの蓋３０１を開閉する機構と蓋３０１′を開閉する機構は同様の構成を有する。
【００６６】
具体的には、図１８（ａ），（ｂ）に示すように、前板３０２にアーム３０３とアーム３０３′とが接続されている。そして、開口１１に備えられた蓋３０１がアーム３０３を含むリンク機構３５０を介して開閉され、開口１２に備えられた蓋３０１′がアーム３０３′を含むリンク機構３５０を介して開閉される。
また、図１８（ａ），（ｂ）に示すように、前板３０２においては、アーム３０３とアーム３０３′とが、筐体１０の左右方向に段差を設けて取り付けられている。これは、アーム３０３を含むリンク機構３５０と、アーム３０３′を含むリンク機構３５０とが干渉しないようにするためである。
【００６７】
アーム３０３とアーム３０３′とを左右方向にずれた位置に配置することで、筐体１０内において、アーム３０３を含むリンク機構３５０と、アーム３０３′を含むリンク機構３５０との干渉を阻止している。
以下においては、説明の便宜上、開口１１に備えた蓋３０１を開閉する機構について説明する。例えば、図１９（ａ）〜（ｃ）においては、開口１２に備えられた蓋３０１′を開閉する機構の図示を省略している。
【００６８】
カバー構造３００は、図１７及び図１９（ａ）〜（ｃ）に示すように、蓋３０１（３０１′），前板３０２及びリンク機構３５０を備える。
蓋３０１は開口１１を覆うように設けられた板状部材であり、筐体１０の前後方向に沿って摺動自在に構成されている。具体的には、蓋３０１は、筐体１０の前後方向における後方位置にある状態では開口１１を閉鎖して閉状態にし、前方位置にある状態では開口１１を開放して開状態にする。
【００６９】
リンク機構３５０は、図１７に示すように、筐体１０の左右方向における各内壁面１１１に沿ってそれぞれ備えられる。これらのリンク機構３５０は、図１９（ａ），（ｂ），（ｃ）に示すように、アーム３０３（３０３′），３０４，３０５を備える。なお、図１９（ａ），（ｂ），（ｃ）においては、便宜上、筐体１０における一方の内壁面に備えられたリンク機構３５０についてのみ図示している。この図示を省略している他方のリンク機構３５０は、図示しているリンク機構３５０と同様に構成され、同様に動作する。
【００７０】
上述した蓋３０１は筐体１０の左右方向に沿って突出する軸３０１１を備え、この軸３０１１には、リンク機構３５０のアーム３０５の一端に形成された穴３０５１が枢支される。
また、アーム３０５の他端側は、支点３０７によって筐体１０の内壁面に回動自在に軸支されている。すなわち、アーム３０５が支点３０７を軸に回動することで、アーム３０５の穴３０５１側端部が前後方向に移動し、これに伴い、軸３０１１を介して接続された蓋３０１が前後方向に摺動する。なお、穴３０５１はアーム３０５に沿った長穴として形成され、軸３０１１が穴３０５１に遊貫されている。これにより、アーム３０５が支点３０７を中心に回動した場合においても、蓋３０１の鉛直方向の移動が吸収される。
【００７１】
さらに、アーム３０５には、その長手方向に沿って長穴３０５２が形成されており、この長穴３０５２には、アーム３０４の一端に形成された軸３０４２が摺動自在に遊貫されている。
また、アーム３０４の他端には穴３０４１が形成されている。穴３０４１はアーム３０４に沿った長穴として形成され、この穴３０４１には、アーム３０３の一端に形成された軸３０３１が遊貫されている。
【００７２】
さらに、アーム３０４は、その軸３０４２と軸３０４１との間において、支点３０６によって筐体１０の内壁面に回動自在に軸支されている。すなわち、後述するアーム３０３が軸３０３１を介してアーム３０４の一端を前後方向に移動させることで、アーム３０４は、支点３０６を軸に回動する。また、これにより、アーム３０４の他端が軸３０４２を介してアーム３０５を支点３０７を中心に、前後方向に回動させる。
【００７３】
また、アーム３０３の前方側端部は、前述の如く前板３０２に固定されている（図１８（ａ），（ｂ）参照）。前板３０２は、筐体１０のラック固定部１３と同様の形状を有し、前板３０２はラック固定板１３に前方から重合される。前板３０２には筐体１０のラック固定部１３に形成された取り付け穴１３１と同数の前板穴３０２１が形成されており、これらの前板穴３０２１は、ラック固定部１３の取り付け穴１３１とそれぞれ連通する。
【００７４】
前板穴３０２１をラック固定部１３の取り付け穴１３１と連通させた状態で、ネジ２１２を挿入し、ラック２００に取り付けられた搭載金具２０２の固定穴２０２２に螺合することで、電子機器１をラック２００に固定する。
前板３０２とラック固定板１３との間には弾性部材３０８が配置されている。弾性部材３０８は、前板３０２をラック固定板１３から離隔させる方向に付勢するものであり、例えば、板バネが用いられる。ただし、弾性部材３０８は板バネに限定されるものではなく、例えば他の形状のバネや、ゴム等を用いてもよく、種々変形して実施することができる。
【００７５】
上述の如くラック２００に電子機器１を固定する際に、ネジ２１２を締め付けることにより、前板３０２がラック固定部１３側に押し付けられ後方に移動する。また、このネジ２１２を緩めることにより、前板３０２は弾性部材３０８により前方に押し出される。すなわち、前板３０２は、ラック２００への電子機器１の固定または解放に伴って移動される被移動部材として機能する。
【００７６】
上述の如く構成された実施形態の一例としての電子機器１のカバー構造３００による蓋３０１の開閉動作を、図１９（ａ）〜（ｃ）を用いて説明する。
図１９（ａ）に示す状態においては、蓋３０１は開状態となっており、前板３０２とラック固定板１３とは離隔した状態にある。
この図１９（ａ）に示す状態において、オペレータが、前板３０２の前板穴３０２１とラック固定部１３の取り付け穴１３１とにネジ２１２を取り付け、このネジ２１２の締め付けを行なう。
【００７７】
このネジ２１２の締め付けにより、前板３０２がラック固定部１３側に押し付けられ、アーム３０３が後方に向かって移動する（図１９（ａ），（ｂ）の矢印Ａ参照）。
アーム３０３が後方へ移動することにより、このアーム３０３の軸３０３１およびアーム３０４の軸穴３０４１を介して、アーム３０４の上端部が後方へ押される。これにより、アーム３０４は、支点３０６を中心に回動し（図１９（ａ），（ｂ）の矢印Ｂ参照）、アーム３０４の下端が前方に移動する。
【００７８】
アーム３０４の下端が前方へ移動することにより、アーム３０４の軸３０４２及びアーム３０５の長穴３０５２を介してアーム３０５が前方へ押され、このアーム３０５が支点３０７を中心に前方に回動する（図１９（ａ），（ｂ）の矢印Ｃ参照）。
アーム３０５が支点３０７を中心に前方に回動することで、アーム３０５の上端部が前方に移動し、これに伴い、軸３０１１を介して接続された蓋３０１が前方に摺動する（図１９（ａ），（ｂ）の矢印Ｄ参照）。すなわち、図１９（ｃ）に示すように、蓋３０１が開き、開口１１が開放される。
【００７９】
同様の動作が、アーム３０３′を備える図示しないリンク機構３５０においても行なわれ、開口１１の開放と同時に、蓋３０１′が開き開口１２が開放される。
なお、ネジ２１２の締め付けにより前板３０２がラック固定部１３側に当接した状態で、蓋３０１が開口１１を完全に開放するように、各アーム３０３〜３０５の長さや各支点３０６，３０７の位置等が調整される。
【００８０】
また、上述とは逆の手順により蓋３０１による開口１１の閉蓋が行なわれる。すなわち、図１９（ｃ）に示す蓋３０１は開状態において、オペレータが、締め付けられているネジ２１２を緩めると、弾性部材３０８により前板３０２がラック固定部１３から離隔する方向、すなわち、前方に押し出される。これにより、アーム３０３が前方に向かって移動する（図１９（ｃ），（ｂ）の矢印Ｅ参照）。
【００８１】
アーム３０３が前方へ移動することにより、このアーム３０３の軸３０３１およびアーム３０４の軸穴３０４１を介して、アーム３０４の上端部が前方へ引き寄せられる。これにより、アーム３０４は、支点３０６を中心に回動し（図１９（ｃ），（ｂ）の矢印Ｆ参照）、アーム３０４の下端が後方に移動する。
アーム３０４の下端が後方へ移動することにより、アーム３０４の軸３０４２及びアーム３０５の長穴３０５２を介してアーム３０５が後方へ押され、このアーム３０５が支点３０７を中心に後方に回動する（図１９（ａ），（ｂ）の矢印Ｇ参照）。
【００８２】
アーム３０５が支点３０７を中心に後方に回動することで、アーム３０５の上端部が後方に移動し、これに伴い、軸３０１１を介して接続された蓋３０１が後方に摺動する（図１９（ａ），（ｂ）の矢印Ｈ参照）。すなわち、図１９（ａ）に示すように、蓋３０１が閉じ、開口１１が閉蓋される。
同様の動作が、アーム３０３′を備える図示しないリンク機構３５０においても行なわれ、開口１１の閉蓋と同時に、蓋３０１′が閉じ開口１２が閉蓋される。
【００８３】
上述の如く構成されたカバー構造３００においては、ラック２００のスロット２１０に本電子機器１を挿入し、ネジ２１２を締めてラック２００に電子機器１を固定することで、蓋３０１が開き、開口１１，１２が開放される。これにより、ラック２００内において、上下のスロット２１０内の他の電子機器１との間でコネクタ接続を確実に行なうことができる。
【００８４】
また、ネジ２１２を外してラック２００のスロット２１０から電子機器１を取り出した状態では、蓋３０１が閉じ、開口１１，１２が閉蓋される。これにより、ラック２００から取り外した状態において、第１コネクタ３０や第２コネクタ４０を保護することができる。
（Ｃ−２）カバー構造例２
図２０は実施形態の一例としての電子機器１の外観を示す斜視図であり、この電子機器１はカバー構造４００を備える。なお、この図２０においては、カバー構造４００の一部の構成の図示を省略している。図２１は実施形態の一例としての電子機器１のカバー構造４００における蓋４０１ａの閉鎖機構４５０の構成を示す斜視図、図２２は実施形態の一例としての電子機器１のカバー構造４００における蓋４０１ｂの閉鎖機構４５０の構成を示す斜視図である。また、図２３は引っかけ部４０２ａ（４０２ｂ）の構成を示す側面図、図２４は筐体１０における引っかけ部４０２ａ，４０２ｂの位置を示す図である。
【００８５】
さらに、図２５（ａ），（ｂ），（ｃ）は実施形態の一例としての電子機器１のカバー構造４００による開口１１の開閉動作を示す図であり、（ａ）は閉状態を、（ｂ）は開動作の途中の状態を、（ｃ）は開状態をそれぞれ示す。
カバー構造４００は、電子機器１をラック２００のスロット２１０に挿抜する際に、開口１１に備えた蓋４０１ａと開口１２に備えた蓋４０１ｂとを開閉する。
【００８６】
カバー構造４００は、図２０及び図２５（ａ）〜（ｃ）に示すように、蓋４０１ａ，４０１ｂ及び引っかけ部４０２ａ，４０２ｂを備える。
蓋４０１ａは開口１１を覆うように設けられた板状部材であり、筐体１０の前後方向に沿って摺動自在に構成されている。具体的には、蓋４０１ａは、筐体１０の前後方向における後方位置にある状態では開口１１を開放して開状態にし、前方位置にある状態では開口１１を閉鎖して閉状態にする。
【００８７】
蓋４０１ｂは開口１２を覆うように設けられた板状部材であり、筐体１０の前後方向に沿って摺動自在に構成されている。具体的には、蓋４０１ｂは、筐体１０の前後方向における後方位置にある状態では開口１２を閉鎖して閉状態にし、前方位置にある状態では開口１２を開放して開状態にする。
以下、蓋４０１ａが前方位置にあり開口１１を閉鎖した状態を、蓋４０１ａが閉鎖位置にあるという場合があり、蓋４０１ａが後方位置にあり開口１１を開放した状態を、蓋４０１ａが開放位置にあるという場合がある。
【００８８】
また、蓋４０１ｂが後方位置にあり開口１２を閉鎖した状態を、蓋４０１ｂが閉鎖位置にあるという場合があり、蓋４０１ｂが前方位置にあり開口１２を開放した状態を、蓋４０１ｂが開放位置にあるという場合がある。
また、蓋４０１ａ，４０１ｂは、それぞれ閉鎖機構４５０により、開口１１，１２を閉鎖する方向に付勢されている。
【００８９】
図２１及び図２２に示すように、閉鎖機構４５０は、バネ４０１３を備え、このバネ４０１３により蓋４０１ａ，４０１ｂをそれぞれ閉状態となる方向に付勢する。
例えば、図２１に示すように、バネ４０１３は、蓋４０１ａの下方に向けて左右方向の両端部付近において突出する第１取り付け部４０１１と、筐体１０内の左右方向における各内壁面１１１付近に天板１１２から突出する第２取り付け部４０１２とを連結するように備えられ、蓋４０１ａを前方に引き付ける方向（矢印Ｊ１参照）に付勢する。
【００９０】
同様に、図２２に示すように、バネ４０１３は、蓋４０１ｂの上方に向けて左右方向の両端部付近において突出する第１取り付け部４０１１と、筐体１０内の左右方向における各内壁面１１１付近に底板１１３から突出する第２取り付け部４０１２とを連結するように備えられ、蓋４０１ｂを後方に引き付ける方向（矢印Ｊ２参照）に付勢する。
なお、図２１に示すように、筐体１０の上面における開口１１よりも前方位置にはストッパ４０１４が突出するように設けられ、これにより蓋４０１ａが開口１１を閉鎖する位置で停止するように構成されている。
【００９１】
また、図２２に示すように、筐体１０の下面における開口２１よりも後方位置にもストッパ４０１４が突出するように設けられ、これにより蓋４０１ｂが開口１２を閉鎖する位置に停止するように構成されている。
また、蓋４０１ａには蓋穴（第１の係合部）４０３ａが、また、蓋４０１ｂには蓋穴（第１の係合部）４０３ｂが、それぞれ形成されている。
【００９２】
蓋穴４０３ａには、ラック２００のスロット２１０に電子機器１が挿入された状態で、ラック２００における、当該スロット２１０の上方のスロット２１０に挿入された隣接する他の電子機器１の引っかけ部４０２ｂ（後述）が係合する。
また、蓋穴４０３ｂには、ラック２００のスロット２１０に電子機器１が挿入された状態で、ラック２００における、当該スロット２１０の下方のスロット２１０に挿入された隣接する他の電子機器１の引っかけ部４０２ａ（後述）が係合する。
【００９３】
筐体１０の天板１１２において、開口１１よりも前方には引っかけ部（第２の係合部）４０２ａが上方に突出している。また、筐体１０の底板１１３において、開口１２よりも後方には引っかけ部（第２の係合部）４０２ｂが下方に突出している。
引っかけ部４０２ａは、図２３に示すように、筐体１０の前後方向にそれぞれ斜面を有する山形形状を有し、筐体１０の天板１１２に形成された穴１１２１から筐体１０の外部（上方）に向かって、出し入れ自在に突出する。
【００９４】
引っかけ部４０２ｂも引っかけ部４０２ａと同様の構成を有する。すなわち、引っかけ部４０２ｂは、図２３に示すように、筐体１０の前後方向にそれぞれ斜面を有する山形形状を有し、筐体１０の底板１１３に形成された穴１１３１から筐体１０の外部（下方）に向かって、出し入れ自在に突出する。
図２３に示す例においては、引っかけ部４０２ａ（４０２ｂ）は、例えば、板バネを山形に折り曲げるとともに、一端部を筐体１０の天板１１２（底板１１３）に固定することにより構成されている。
【００９５】
なお、引っかけ部４０２ａ，４０２ｂは、板バネに限定されるものではなく、種々変形して実施することができる。例えば、山形に形成された部材をバネ等の弾性部材により穴１１２１から出し入れ自在に突出させてもよい。
また、図２４に示すように、引っかけ部４０２ａと引っかけ部４０２ｂとは筐体１０の左右方向にずれた位置に配置されている。図２４に示す例においては、引っかけ部４０２ａが筐体１０の中央から左側にずらした位置に配置され、引っかけ部４０２ｂが筐体１０の中央から右側にずらした位置に配置されている。
【００９６】
前述の如く、引っかけ部４０２ａは蓋４０１ｂの蓋穴４０３ｂに係合し、引っかけ部４０２ｂは蓋４０１ａの蓋穴４０３ａに係合するものである。従って、蓋穴４０３ｂは引っかけ部４０２ａに対応する位置に形成されており、左右方向においては同じ位置に形成されている。同様に、蓋穴４０３ａは引っかけ部４０２ｂに対応する位置に形成されており、左右方向においては同じ位置に形成されている。これにより、蓋穴４０３ａと蓋穴４０３ｂとも筐体１０の左右方向においてずれた位置に配置されている。
【００９７】
上述の如く構成された実施形態の一例としての電子機器１のカバー構造４００による蓋４０１ａ，４０１ｂの開閉動作を、図２５（ａ）〜（ｃ）を用いて説明する。
なお、これらの図２５（ａ）〜（ｃ）においては、便宜上、上述の如く筐体１０の左右方向においてずれた位置に配置されている引っかけ部４０２ａと引っかけ部４０２ｂとの両方を図示している。
【００９８】
図２５（ａ）に示す状態においては、ラック２００のスロット２１０に電子機器１−１が挿入されており、オペレータにより、この電子機器１−１が挿入されているスロット２１０の上方に隣接するスロット２１０に、電子機器１−２が挿入されようとしている。
また、この図２５（ａ）に示す状態においては、電子機器１−１の蓋４０１ａ及び、電子機器１−２の蓋４０１ｂは、それぞれ閉鎖位置にあり、開口１１，１２はいずれも閉鎖されている。
【００９９】
さらに、この図２５（ａ）に示す状態においては、電子機器１−１の引っかけ部４０２ａは、電子機器１−２の筐体１０の底板１１３に当接している。また、電子機器１−２の引っかけ部４０２ｂも、電子機器１−１の筐体１０の天板１１２に当接している。
この図２５（ａ）に示す状態から、オペレータが、電子機器１−２をラック２００のスロット２１０に更に押し込むと（矢印Ｋ参照）、図２５（ｂ）に示すように、電子機器１−２の引っかけ部４０２ｂは、電子機器１−１の蓋４０１ａに形成された蓋穴４０３ａに進入する。すなわち、電子機器１−２の引っかけ部４０２ｂと電子機器１−１の蓋４０１ａの蓋穴４０３ａとが係合する。
【０１００】
また、電子機器１−１の引っかけ部４０２ａは、電子機器１−２の蓋４０１ｂに形成された蓋穴４０３ｂに進入する。すなわち、電子機器１−１の引っかけ部４０２ａと電子機器１−２の蓋４０１ｂの蓋穴４０３ｂとも係合する。
そして、この図２５（ｂ）に示す状態で、オペレータが、電子機器１−２をラック２００のスロット２１０に更に押し込む（矢印Ｋ参照）。これにより、電子機器１−２が後方に移動され、電子機器１−１においては、この電子機器１−２の引っかけ部４０２ｂと係合している電子機器１−１の蓋４０１ａも後方に移動する。蓋４０１ａが後方に移動することで、図２５（ｃ）に示すように、開口１１が開放される。
【０１０１】
また、電子機器１−２においても、電子機器１−２が後方に移動することで、電子機器１−１の引っかけ部４０２ａと係合している電子機器１−２の蓋４０１ｂが相対的に前方に移動する。蓋４０１ｂが前方に移動することで、図２５（ｃ）に示すように開口１２が開放される。
また、上述とは逆の手順により蓋４０１ａによる開口１１の閉蓋と、蓋４０１ｂによる開口１２の閉蓋とが行なわれる。
【０１０２】
図２５（ｃ）に示す蓋４０１ａ，４０１ｂの各開状態において、電子機器１−２の引っかけ部４０２ｂと電子機器１−１の蓋４０１ａの蓋穴４０３ａとが係合しており、また、電子機器１−１の引っかけ部４０２ａと電子機器１−２の蓋４０１ｂの蓋穴４０３ｂとが係合している。
オペレータが、ラック２００のスロット２１０から電子機器１−２を抜き出すために、電子機器１−２を前方に移動させる（矢印Ｌ参照）。
【０１０３】
これにより、電子機器１−２が前方に移動され、電子機器１−１においては、図２５（ｂ）に示すように、電子機器１−２の引っかけ部４０２ｂと係合している電子機器１−１の蓋４０１ａも前方に摺動する。
また、電子機器１−２においても、電子機器１−２が前方に移動することで、図２５（ｂ）電子機器１−１の引っかけ部４０２ａと係合している電子機器１−２の蓋４０１ｂが相対的に後方に摺動する。
【０１０４】
そして、更にオペレータが電子機器１−２を前方に移動させると（矢印Ｌ参照）、図２５（ａ）に示すように、電子機器１−２の引っかけ部４０２ｂと電子機器１−１の蓋４０１ａの蓋穴４０３ａとの係合が解除される。
蓋４０１ａは、閉鎖機構４５０により開口１１を閉鎖する方向に付勢されているので、電子機器１−２の引っかけ部４０２ｂと電子機器１−１の蓋４０１ａの蓋穴４０３ａとの係合が解除されると、この閉鎖機構４５０により閉鎖位置に配置され、開口１１を閉状態にする。
【０１０５】
また、蓋４０１ｂも、閉鎖機構４５０により開口１２を閉鎖する方向に付勢されているので、電子機器１−１の引っかけ部４０２ａと電子機器１−２の蓋４０１ｂの蓋穴４０３ｂとの係合が解除されると、この閉鎖機構４５０により閉鎖位置に配置され、開口１２を閉状態にする。
上述の如く構成されたカバー構造４００においては、ラック２００のスロット２１０に本電子機器１を挿入することで、電子機器１−２の引っかけ部４０２ｂと電子機器１−１の蓋４０１ａの蓋穴４０３ａとが係合する。また、電子機器１−１の引っかけ部４０２ａと電子機器１−２の蓋４０１ｂの蓋穴４０３ｂとが係合する。
【０１０６】
これらの係合が行なわれた状態で、オペレータが、電子機器１−２をラック２００のスロット２１０に更に押し込むことで、蓋４０１ａ，４０１ｂがそれぞれ開放位置に配置され、開口１１，１２がいずれも開放される。
これにより、ラック２００内において、上下のスロット２１０内の他の電子機器１との間でコネクタ接続を確実に行なうことができる。
【０１０７】
また、蓋４０１ａ，４０１ｂは、それぞれ閉鎖機構４５０により、開口１１，１２を閉鎖する方向に付勢されているので、ラック２００のスロット２１０から電子機器１を取り出した状態では、蓋４０１ａ，４０１ｂがそれぞれ閉じ、開口１１，１２が閉蓋される。これにより、ラック２００から取り外した状態において、第１コネクタ３０や第２コネクタ４０を保護することができる。
【０１０８】
蓋４０１ａ，４０１ｂの内側の面が第１コネクタ３０や第２コネクタ４０の接点金具に接触することで、第１コネクタ３０および第２コネクタ４０内の接点金具間がショートして不具合が発生するおそれがある。このような場合には、蓋４０１ａ，４０１ｂの内側の面に絶縁シートを貼り付ける、または蓋４０１ａ，４０１ｂを絶縁材料で製作することで不具合を防ぐことができる。
【０１０９】
（Ｃ−３）カバー構造例３
上述したカバー構造例２においては、ラック２００に、下方のスロット２１０から上方のスロット２１０にかけて順番に電子機器１を挿入して用いる場合に好適である。しかしながら、既にラック２００に搭載された電子機器１の下方において隣接するスロット２１０に電子機器１を挿入する場合には、下方の電子機器１の上部に配置された引っかけ部４０２ａと上側の電子機器１の下側の蓋４０１ｂの蓋穴４０３ｂとが係合しない。すなわち、ラック２００に先に搭載されている電子機器１の下側に電子機器１を挿入するだけでは、その上側の電子機器１の蓋４０１ｂを移動させて開口１２を開放することができない。
【０１１０】
例えば、ラック２００に複数の電子機器１が搭載された状態において、下側の電子機器１が故障して交換を行なう場合などには、このような状況が生じる。
そこで、本カバー構造例３に示す電子機器１においては、上述したカバー構造例２に示した構成に加えて、ラック２００に先に搭載されている電子機器１の下側に電子機器１を挿入することで、上側の電子機器１の開口１２を開放できる構造を備える。
【０１１１】
図２６は実施形態の一例としての電子機器１の外観を示す斜視図であり、この電子機器１はカバー構造４００Ａを備える。なお、この図２６においては、カバー構造４００Ａの一部の構成の図示を省略している。図２７は実施形態の一例としての電子機器１のカバー構造４００Ａにおける蓋４０１ａの閉鎖機構４５０Ａの構成を示す斜視図、図２８は実施形態の一例としての電子機器１のカバー構造４００Ａにおける蓋４０１ｂの閉鎖機構４５０Ａの構成を示す斜視図である。また、図２９は筐体１０における引っかけ部４０２ａ，４０２ｂ，４０５ａ，４０５ｂの位置を示す図である。
【０１１２】
図３０〜図３４は実施形態の一例としての電子機器１のカバー構造４００Ａによる蓋４０１ａの開閉動作を示す図である。図３０及び図３４はラック２００に複数の電子機器１が搭載された状態（開状態）を示し、図３１及び図３２はラック２００から下側の電子機器１を抜き出す途中（閉動作の途中）の状態を示す。また、図３３は、ラック２００に下側の電子機器１を挿入する途中（開動作の途中）の状態を示す。
【０１１３】
また、図３５〜図３９は実施形態の一例としての電子機器１のカバー構造４００Ａによる蓋４０１ｂの開閉動作を示す図である。図３５及び図３９はラック２００に複数の電子機器１が搭載された状態（開状態）を示し、図３６及び図３７はラック２００から下側の電子機器１を抜き出す途中（閉動作の途中）の状態を示す。また、図３８は、ラック２００に下側の電子機器１を挿入する途中（開動作の途中）の状態を示す。
【０１１４】
なお、図中、既述の符号と同一の符号は同様の部分を示しているので、その詳細な説明は省略する。  
カバー構造４００Ａは、電子機器１をラック２００のスロット２１０に挿抜する際に、開口１１に備えた蓋４０１ａと開口１２に備えた蓋４０１ｂとを開閉する。
【０１１５】
カバー構造４００Ａは、図２６及び図３０〜図３４に示すように、蓋４０１ａ，４０１ｂ及び引っかけ部４０２ａ，４０２ｂ，４０５ａ，４０５ｂを備える。
蓋４０１ａは開口１１を覆うように設けられた板状部材であり、筐体１０の前後方向に沿って摺動自在に構成されている。この蓋４０１ａは、開口１１を中心として、その前方（図２７の矢印Ｊ１参照）と、後方（図２７の矢印Ｊ２参照）とのいずれの方向にも移動できるように構成されている。
【０１１６】
そして、蓋４０１ａは、開口１１よりも前方の位置または開口１１よりも後方の位置のいずれかにある状態では開口１１を開放して開状態にし、その前後方向での移動可能範囲の中間位置にある状態では開口１２を閉鎖して閉状態にする。
蓋４０１ｂは開口１２を覆うように設けられた板状部材であり、筐体１０の前後方向に沿って摺動自在に構成されている。この蓋４０１ｂは、開口１２を中心として、その前方（図２８の矢印Ｊ１参照）と、後方（図２８の矢印Ｊ２参照）とのいずれの方向にも移動できるように構成されている。
【０１１７】
そして、蓋４０１ｂは、開口１１よりも前方の位置または開口１１よりも後方の位置のいずれかにある状態では開口１２を開放して開状態にし、その前後方向での移動可能範囲の中間位置にある状態では開口１２を閉鎖して閉状態にする。
以下、蓋４０１ａが開口１１を閉鎖した状態を、蓋４０１ａが閉鎖位置にあるという場合があり、蓋４０１ａが前方位置もしくは後方位置にあり開口１１を開放した状態を、蓋４０１ａが開放位置にあるという場合がある。
【０１１８】
また、蓋４０１ｂが開口１２を閉鎖した状態を、蓋４０１ｂが閉鎖位置にあるという場合があり、蓋４０１ｂが前方位置もしくは後方位置にあり開口１２を開放した状態を、蓋４０１ｂが開放位置にあるという場合がある。
また、蓋４０１ａ，４０１ｂは、それぞれ閉鎖機構４５０Ａにより、開口１１，１２を閉鎖するように付勢されている。
【０１１９】
図２７及び図２８に示すように、閉鎖機構４５０Ａは、バネ４０１３−１，４０１３−２を備え、これらのバネ４０１３−１，４０１３−２により蓋４０１ａ，４０１ｂをそれぞれ閉状態となる方向に付勢する。
例えば、図２７に示すように、バネ４０１３−１は、蓋４０１ａの下方に向けて左右方向の両端部付近において突出する第１取り付け部４０１１と、開口１１よりも前方位置において、筐体１０内の左右方向における各内壁面１１１付近に天板１１２から突出する第２取り付け部４０１２−１とを連結するように備えられ、蓋４０１ａを前方に引き付ける方向（矢印Ｊ１参照）に付勢する。
【０１２０】
一方、バネ４０１３−２は、蓋４０１ａの下方に向けて左右方向の両端部付近において突出する第１取り付け部４０１１と、開口１１よりも後方位置において、筐体１０内の左右方向における各内壁面１１１付近に天板１１２から突出する第２取り付け部４０１２−２とを連結するように備えられ、蓋４０１ａを後方に引き付ける方向（矢印Ｊ２参照）に付勢する。
【０１２１】
これらのバネ４０１３−１とバネ４０１３−２との各張力は、蓋４０１ａが開口１１を閉鎖する位置で釣り合い、停止するように調整されている。
同様に、図２８に示すように、バネ４０１３−１は、蓋４０１ｂの上方に向けて左右方向の両端部付近において突出する第１取り付け部４０１１と、開口１２よりも前方位置において、筐体１０内の左右方向における各内壁面１１１付近に底板１１３から突出する第２取り付け部４０１２−１とを連結するように備えられ、蓋４０１ｂを前方に引き付ける方向（矢印Ｊ１参照）に付勢する。
【０１２２】
一方、バネ４０１３−２は、蓋４０１ｂの上方に向けて左右方向の両端部付近において突出する第１取り付け部４０１１と、開口１２よりも後方位置において、筐体１０内の左右方向における各内壁面１１１付近に底板１１３から突出する第２取り付け部４０１２−２とを連結するように備えられ、蓋４０１ｂを後方に引き付ける方向（矢印Ｊ２参照）に付勢する。
【０１２３】
これらのバネ４０１３−１とバネ４０１３−２との各張力は、蓋４０１ｂが開口１２を閉鎖する位置で釣り合い停止するように調整されている。
また、図２６に示すように、蓋４０１ａには蓋穴（第１の係合部）４０３ａ，４０４ａが、また、蓋４０１ｂには蓋穴（第１の係合部）４０３ｂ，４０４ｂが、それぞれ形成されている。
【０１２４】
蓋穴４０３ａには、ラック２００のスロット２１０に電子機器１が挿入された状態で、ラック２００における、当該スロット２１０の上方のスロット２１０に挿入された隣接する他の電子機器１の引っかけ部４０２ｂ（後述）が係合する。
蓋穴４０４ａには、ラック２００のスロット２１０に電子機器１が挿入された状態で、ラック２００における、当該スロット２１０の上方のスロット２１０に挿入された隣接する他の電子機器１の引っかけ部４０５ｂ（後述）が係合する。
【０１２５】
ここで、蓋穴４０３ａは、蓋４０１ａにおける前方側に形成されており、蓋穴４０４ａは、蓋４０１ａにおける後方側に形成されている。
また、蓋穴４０３ｂには、ラック２００のスロット２１０に電子機器１が挿入された状態で、ラック２００における、当該スロット２１０の下方のスロット２１０に挿入された隣接する他の電子機器１の引っかけ部４０２ａ（後述）が係合する。
【０１２６】
また、蓋穴４０４ｂには、ラック２００のスロット２１０に電子機器１が挿入された状態で、ラック２００における、当該スロット２１０の下方のスロット２１０に挿入された隣接する他の電子機器１の引っかけ部４０５ａ（後述）が係合する。
ここで、蓋穴４０４ｂは、蓋４０１ｂにおける前方側に形成されており、蓋穴４０３ｂは、蓋４０１ｂにおける後方側に形成されている。
【０１２７】
筐体１０の天板１１２において、開口１１よりも前方には引っかけ部（第２の係合部）４０２ａが上方に突出しており、また、開口１１よりも後方には引っかけ部（第２の係合部）４０５ａが上方に突出している。
また、筐体１０の底板１１３において、開口１２よりも後方には引っかけ部（第２の係合部）４０２ｂが下方に突出しており、また、開口１２よりも前方には引っかけ部（第２の係合部）４０５ｂが下方に突出している。
【０１２８】
引っかけ部（第２の係合部）４０５ａ，４０５ｂも引っかけ部４０２ａと同様の構成を有する。すなわち、引っかけ部４０５ａは、図２３に示すような、筐体１０の前後方向にそれぞれ斜面を有する山形形状を有し、筐体１０の天板１１２に形成された穴１１２１から筐体１０の外部に向かって、出し入れ自在に突出する。
また、引っかけ部４０５ｂも、図２３に示すような、筐体１０の前後方向にそれぞれ斜面を有する山形形状を有し、筐体１０の底板１１３に形成された穴１１３１から筐体１０の外部に向かって、出し入れ自在に突出する。
【０１２９】
なお、これらの引っかけ部４０５ａ，４０５ｂも、引っかけ部４０２ａ，４０２ｂと同様に、板バネに限定されるものではなく、種々変形して実施することができる。例えば、山形に形成された部材をバネ等の弾性部材により穴１１２１，１１３１から出し入れ自在に突出させてもよい。
また、図２９に示すように、引っかけ部４０２ａ，４０２ｂ，４０５ａ，４０５ｂは筐体１０の左右方向に互いにずれた位置に配置されている。図２９に示す例においては、引っかけ部４０２ａ，４０５ａが筐体１０の中央から左側にずらした位置に配置され、引っかけ部４０２ｂ，４０５ｂが筐体１０の中央から右側にずらした位置に配置されている。
【０１３０】
さらに、引っかけ部４０２ａと引っかけ部４０５ａとは左右方向においてずらした位置に配置されており、引っかけ部４０２ｂと引っかけ部４０５ｂとも左右方向においてずらした位置に配置されている。
前述の如く、引っかけ部４０５ａは蓋４０１ｂの蓋穴４０４ｂに係合し、引っかけ部４０５ｂは蓋４０１ａの蓋穴４０４ａに係合するものである。
【０１３１】
従って、蓋穴４０４ｂは引っかけ部４０５ａに対応する位置に形成されており、左右方向においては同じ位置に形成されている。同様に、蓋穴４０４ａは引っかけ部４０５ｂに対応する位置に形成されており、左右方向においては同じ位置に形成されている。これにより、蓋穴４０４ａと蓋穴４０４ｂとも筐体１０の左右方向においてずれた位置に配置されている。
【０１３２】
上述の如く構成された実施形態の一例としての電子機器１のカバー構造４００Ａによる蓋４０１ａ，４０１ｂの開閉動作を、図３０〜図３９を用いて説明する。
なお、これらの図３０〜図３９においては、便宜上、上述の如く筐体１０の左右方向においてずれた位置に配置されている引っかけ部４０２ａ，４０２ｂ，４０５ａ，４０５ｂを一緒に図示している。
【０１３３】
先ず、図３０〜図３４を用いて、実施形態の一例としての電子機器１のカバー構造４００Ａによる蓋４０１ａの開閉動作を説明する。以下においては、ラック２００のスロット２１０に電子機器１−１，１−２が挿入されており、下側に配置されている電子装置１−１の交換作業を行なう例について説明する。
なお、これらの図３０〜図３４においては、便宜上、蓋４０１ｂの開閉に関する一部の構成の図示を省略している。
【０１３４】
すなわち、図３０に示すように、ラック２００のスロット２１０に電子機器１−１，１−２が挿入されており、電子装置１−１の上側に電子装置１−２が配置されている。
この図３０に示す状態においては、電子装置１−１の蓋４０１ａの蓋穴４０３ａには、電子装置１−２の引っかけ部４０２ｂが係合した状態で、蓋４０１ａを後方に移動させており、開口１１が開状態となっている。これにより、電子装置１−１においては、第１コネクタ３０の接点金具３１が筐体１０の外部に突出する。また、電子機器１−２の蓋４０１ｂも開放位置にあり、開口１２も開状態となっている。
【０１３５】
従って、これらの開口１１，１２を介して、電子機器１−２の第２コネクタ４０と電子機器１−１の第１コネクタ３０とがコネクタ接続されている。
この図３０に示す状態から、オペレータが、電子機器１−１をラック２００のスロット２１０から引き出す（矢印Ｌ参照）。これにより、図３１に示すように、電子装置１−２の引っかけ部４０２ｂは、電子装置１−１の筐体１０に当接し、電子装置１−２の筐体１０内に押し込まれる。このため、電子装置１−２の引っかけ部４０２ｂと、電子装置１−１の蓋穴４０３ａとの係合が外れ、電子装置１−１の蓋４０１ａは、閉鎖機構４５０Ａのバネ４０１３−１により前方に引き寄せられ、電子装置１−２の引っかけ部４０５ｂに当接する位置まで移動される。
【０１３６】
この図３１に示す状態から、オペレータが更に電子機器１−１をラック２００のスロット２１０から引き出すと（矢印Ｌ参照）、図３２に示す状態となる。すなわち、電子装置１−２の引っかけ部４０５ｂも電子装置１−１の筐体１０に当接し、電子装置１−２の筐体１０内に押し込まれる。これで電子装置１−１の蓋４０１ａは自由に移動可能となり、この蓋４０１ａの前後に取り付けられた閉鎖機構４５０Ａのバネ４０１３−１，４０１３−２により開口１１を塞ぐ位置に引き戻される。すなわち、図３２に示すように、開口１１を閉状態にする。
【０１３７】
その後、ラック２００から電子装置１−１が引き出され、当該位置に、再度、電子装置１−１が挿入される。
なお、図３２に示す状態は、電子装置１−２がラック２００に搭載された状態で、その下側のスロット２１０に電子装置１−１を途中まで挿入した状態でもある。そこで、この図３２に示す状態から、オペレータが、更に、電子装置１−１を押し込むと（矢印Ｋ方向参照）、図３３に示す状態となる。
【０１３８】
図３３に示す状態においては、電子装置１−２の引っかけ部４０５ｂが電子装置１−１の蓋４０１ａの蓋穴４０４ａに係合している。すなわち、蓋４０１ａは、電子装置１−２の引っかけ部４０５ｂにより固定された状態となっている。
この状態から、更に電子装置１−１をラック２００に挿入すると（矢印Ｋ方向参照）、電子装置１−１において蓋４０１ａは、電子装置１−１が後方へ移動することに伴い、相対的に前方へ移動する。
【０１３９】
さらに、電子装置１−１をラック２００に挿入し（矢印Ｋ方向参照）、図３４に示すように、電子装置１−１がラック２００内の所定の位置まで移動する。
この移動の過程においても、電子装置１−２の引っかけ部４０５ｂと電子装置１−１の蓋４０１ａの蓋穴４０４ａとが係合していることにより、電子装置１−１において蓋４０１ａは、前方へ移動し続け、図３４に示すように、開口１１が開放される。
【０１４０】
この図３４に示す状態においては、電子装置１−１において蓋４０１ａは開放位置にあり、これにより、電子装置１−１においては、第１コネクタ３０の接点金具３１が筐体１０の外部に突出する。また、電子機器１−２の蓋４０１ｂも開放位置にあり、開口１２も開状態となっている。
従って、これらの開口１１，１２を介して、電子機器１−２の第２コネクタ４０と電子機器１−１の第１コネクタ３０とがコネクタ接続されている。
【０１４１】
次に、図３５〜図３９を用いて、実施形態の一例としての電子機器１のカバー構造４００Ａによる蓋４０１ｂの開閉動作を説明する。
この蓋４０１ｂの開閉動作は、上述した蓋４０１ａの開閉動作と同時に行なわれる。以下においては、ラック２００のスロット２１０に電子機器１−１，１−２が挿入されており、下側に配置されている電子装置１−１の交換作業を行なう例について説明する。
【０１４２】
なお、これらの図３５〜図３９においては、便宜上、蓋４０１ａの開閉に関する一部の構成の図示を省略している。
すなわち、図３５に示すように、ラック２００のスロット２１０に電子機器１−１，１−２が挿入されており、電子装置１−１の上側に電子装置１−２が配置されている。
この図３５に示す状態においては、電子装置１−２の蓋４０１ｂの蓋穴４０３ｂには、電子装置１−１の引っかけ部４０２ａが係合した状態で、蓋４０１ｂを前方に移動させており、開口１２が開状態となっている。これにより、電子装置１−２においては、第２コネクタ４０の接点金具４１が開口１２から露出する。また、電子機器１−１の蓋４０１ａも開放位置にあり、開口１１も開状態となっている。
【０１４３】
従って、これらの開口１１，１２を介して、電子機器１−２の第２コネクタ４０と電子機器１−１の第１コネクタ３０とがコネクタ接続されている。
この図３５に示す状態から、オペレータが、電子機器１−１をラック２００のスロット２１０から引き出す（矢印Ｌ参照）。これにより、図３６に示すように、電子装置１−１の引っかけ部４０２ａは、電子装置１−２の筐体１０に当接し、電子装置１−１の筐体１０内に押し込まれる。このため、電子装置１−１の引っかけ部４０２ａと、電子装置１−２の蓋穴４０３ｂとの係合が外れ、電子装置１−２の蓋４０１ｂは、閉鎖機構４５０Ａのバネ４０１３−２により後方に引き寄せられ、電子装置１−１の引っかけ部４０５ａに当接する位置まで移動される。
【０１４４】
この図３６に示す状態から、オペレータが更に電子機器１−１をラック２００のスロット２１０から引き出すと（矢印Ｌ参照）、図３７に示す状態となる。すなわち、電子装置１−１の引っかけ部４０５ａも電子装置１−２の筐体１０に当接し、電子装置１−１の筐体１０内に押し込まれる。これで電子装置１−２の蓋４０１ｂは自由に移動可能となり、この蓋４０１ｂの前後に取り付けられた閉鎖機構４５０Ａのバネ４０１３−１，４０１３−２により開口１２を塞ぐ位置に引き戻される。すなわち、図３７に示すように、開口１２を閉状態にする。
【０１４５】
その後、ラック２００から電子装置１−１が引き出され、当該位置に、再度、電子装置１−１が挿入される。
なお、図３７に示す状態は、電子装置１−２がラック２００に搭載された状態で、その下側のスロット２１０に電子装置１−１を途中まで挿入した状態でもある。そこで、この図３７に示す状態から、オペレータが、更に、電子装置１−１を押し込むと（矢印Ｋ方向参照）、図３８に示す状態となる。
【０１４６】
図３８に示す状態においては、電子装置１−１の引っかけ部４０５ａが電子装置１−２の蓋４０１ｂの蓋穴４０４ｂに係合している。すなわち、蓋４０１ｂは、電子装置１−１の引っかけ部４０５ａにより固定された状態となっている。
この状態から、更に電子装置１−１をラック２００に挿入すると（矢印Ｋ方向参照）、電子装置１−２において蓋４０１ｂは、電子装置１−１が後方へ移動することに伴い、相対的に後方へ移動する。
【０１４７】
さらに、電子装置１−１をラック２００に挿入し（矢印Ｋ方向参照）、図３９に示すように、電子装置１−１がラック２００内の所定の位置まで移動する。
この移動の過程においても、電子装置１−１の引っかけ部４０５ａと電子装置１−２の蓋４０１ｂの蓋穴４０４ｂとが係合していることにより、電子装置１−２において蓋４０１ｂは、後方へ移動し続け、図３９に示すように、開口１２が開放される。
【０１４８】
この図３９に示す状態においては、電子装置１−２において蓋４０１ｂは開放位置にあり、これにより、電子装置１−２においては、第２コネクタ４０の接点金具４１が開口１２から露出する。また、電子機器１−１の蓋４０１ａも開放位置にあり、開口１１も開状態となっている。
従って、これらの開口１１，１２を介して、電子機器１−２の第２コネクタ４０と電子機器１−１の第１コネクタ３０とがコネクタ接続されている。
【０１４９】
このように、上述の如く構成されたカバー構造４００Ａにおいては、ラック２００のスロット２１０に電子機器１−２が挿入されている状態で、その下側のスロット２１０に本電子機器１−１を挿抜する場合に、この電子装置１−１の挿抜に連動して開口１１，１２を開閉することができる。
すなわち、既に電子機器１−２が挿入されているスロット２１０の下側のスロット２１０に本電子機器１−１を挿抜する場合に、電子機器１−２の引っかけ部４０５ｂと電子機器１−１の蓋４０１ａの蓋穴４０４ａとが係合し、また、電子機器１−１の引っかけ部４０５ａと電子機器１−２の蓋４０１ｂの蓋穴４０４ｂとが係合する。
【０１５０】
これらの係合が行なわれた状態で、オペレータが、電子機器１−１をラック２００のスロット２１０に更に押し込むことで、蓋４０１ａ，４０１ｂがそれぞれ開放位置に配置され、開口１１，１２がいずれも開放される。
これにより、ラック２００内において、上下のスロット２１０内の他の電子機器１との間でコネクタ接続を確実に行なうことができる。
【０１５１】
また、ラック２００に電子機器１−２，１−１が挿入されている状態で、下側のスロット２１０に挿入されている電子機器１−１を引き抜く場合に、電子装置１−２の引っかけ部４０２ｂ，４０５ｂが電子装置１−２の筐体１０内に、また、電子装置１−１の引っかけ部４０２ａ，４０５ａが電子装置１−１の筐体１０内に、それぞれ押し込まれる。これにより、蓋４０１ａ，４０１ｂが閉鎖機構４５０Ａによりそれぞれ開口１１，１２を閉鎖する。これにより、電子装置１−１，１−２において、ラック２００から取り外した状態において、第１コネクタ３０や第２コネクタ４０を保護することができる。
【０１５２】
蓋４０１ａ，４０１ｂの内側の面が第１コネクタ３０や第２コネクタ４０の接点金具に接触することで、第１コネクタ３０および第２コネクタ４０内の接点金具間がショートして不具合が発生するおそれがある。このような場合には、蓋４０１ａ，４０１ｂの内側の面に絶縁シートを貼り付ける、または蓋４０１ａ，４０１ｂを絶縁材料で製作することで不具合を防ぐことができる。
【０１５３】
開示の技術は上述した実施形態に限定されるものではなく、本実施形態の趣旨を逸脱しない範囲で種々変形して実施することができる。本実施形態の各構成及び各処理は、必要に応じて取捨選択することができ、あるいは適宜組み合わせてもよい。
例えば、上述した実施形態において、ＭＰ２０の上辺の２箇所に第１コネクタ３０が配置されるとともに、ＭＰ２０の下辺の２箇所に第２コネクタ４０が配置されているが、これに限定されるものではい。すなわち、ＭＰ２０の上辺に１つもしくは３つ以上の第１コネクタ３０を配置してもよく、ＭＰ２０の下辺に１つもしくは３つ以上の第２コネクタ４０を配置してもよい。
【０１５４】
また、上述した実施形態においては、第１コネクタ３０及び第２コネクタ４０がＭＰ２０に設置されているが、これに限定されるものではなく、ＭＰ２０以外の部位にこれらの第１コネクタ３０及び第２コネクタ４０を配置してもよい。
さらに、図１１に示す例においては、位置決め凸金具１５１および位置決め凹金具１５２がＭＰ２０に設置されているが、これに限定されるものではなく、ＭＰ２０以外の部位にこれらの位置決め凸金具１５１および位置決め凹金具１５２を配置してもよい。
【０１５５】
また、上述した実施形態においては、ラック２００に電子機器１を上下方向に並べて挿入し、これらの上下方向に並んだ電子機器１間でコネクタ接続を行なう例を示しているが、これに限定されるものではない。すなわち、ラック２００に電子機器１を左右方向に並べて挿入し、これらの左右方向に並んだ電子機器１間でコネクタ接続を行なってもよく、種々変形して実施することができる。
【０１５６】
上述した開示により本実施形態を当業者によって実施・製造することが可能である。
【符号の説明】
【０１５７】
１    電子機器
１０    筐体
１１    開口
１２    開口
１３    ラック固定部
１１１    内壁面
１１２    天板
１１２１    穴
１１３    底板
１１３１    穴
１３１    取り付け穴
１４１    位置決め凸部
１４２    ガイド溝
１５１    位置決め凸金具
１５１１    位置決め凸部
１５１２    傾斜部
１５２    位置決め凹金具
１５２１    ガイド溝
１５２２    案内面
１６１    フック係合穴
２０    ＭＰ
３０    第１コネクタ
３１    接点金具
３２    ケース
４０    第２コネクタ
４１    接点金具
４２    ケース
２００    ラック
２０１    支柱
２０２    搭載金具
２０２１    支持部
２０２２    固定穴
２０３１    係合穴
２０３２    係合突起
２０４１    フック
２１０    搭載エリア（スロット）
２１１    ネジ
２１２    ネジ
３００    カバー構造
３０１，３０１′    蓋
３５０    リンク機構
３０２    前板
３０２１    前板穴
３０３〜３０５，３０３′    アーム
３０１１，３０３１，３０４２    軸
３０４１，３０５１    軸穴
３０５２    長穴
３０６，３０７    支点
３０８    弾性部材
４００，４００Ａ    カバー構造
４０１ａ    蓋
４０１ｂ    蓋
４５０，４５０Ａ    閉鎖機構
４０２ａ，４０２ｂ，４０５ａ，４０５ｂ    引っかけ部
４０３ａ，４０３ｂ，４０４ａ，４０４ｂ    蓋穴
４０１１    第１取り付け部
４０１２，４０１２−１，４０１２−２    第２取り付け部
４０１３，４０１３−１，４０１３−２    バネ
４０１４    ストッパ
【図１】
0006451233.tif 000002
【図２】
0006451233.tif 000003
【図３】
0006451233.tif 000004
【図４】
0006451233.tif 000005
【図５】
0006451233.tif 000006
【図６】
0006451233.tif 000007
【図７】
0006451233.tif 000008
【図８】
0006451233.tif 000009
【図９】
0006451233.tif 000010
【図１０】
0006451233.tif 000011
【図１１】
0006451233.tif 000012
【図１２】
0006451233.tif 000013
【図１３】
0006451233.tif 000014
【図１４】
0006451233.tif 000015
【図１５】
0006451233.tif 000016
【図１６】
0006451233.tif 000017
【図１７】
0006451233.tif 000018
【図１８】
0006451233.tif 000019
【図１９】
0006451233.tif 000020
【図２０】
0006451233.tif 000021
【図２１】
0006451233.tif 000022
【図２２】
0006451233.tif 000023
【図２３】
0006451233.tif 000024
【図２４】
0006451233.tif 000025
【図２５】
0006451233.tif 000026
【図２６】
0006451233.tif 000027
【図２７】
0006451233.tif 000028
【図２８】
0006451233.tif 000029
【図２９】
0006451233.tif 000030
【図３０】
0006451233.tif 000031
【図３１】
0006451233.tif 000032
【図３２】
0006451233.tif 000033
【図３３】
0006451233.tif 000034
【図３４】
0006451233.tif 000035
【図３５】
0006451233.tif 000036
【図３６】
0006451233.tif 000037
【図３７】
0006451233.tif 000038
【図３８】
0006451233.tif 000039
【図３９】
0006451233.tif 000040
【図４０】
0006451233.tif 000041